(57)【要約】【課題】特別なシステムを必要とせず、ユーザが選択している選択ウィンドウを通知する選択ウィンドウ通知方法、情報処理装置、プログラムを提供する。【解決手段】アプリケーションを起動することで、ウィンドウ２００，３００を表示し、表示したウィンドウのうち一のウィンドウをアクティブ・ウィンドウとして記憶しておく。そして、タッチパッド又はスクロールバーやテキスト入力領域が表示されたデュアルスクリーン式の入力装置に対するタッチ操作入力に応じて、アクティブ・ウィンドウ２００のスクロールバー２１０，２１５、メインバー２１１、テキストウィンドウ５３０の表示を変更する。【選択図】図１
2010282396.tif 000002
【特許請求の範囲】
【請求項１】
アプリケーションを起動することで、対応したウィンドウを表示する情報処理装置が実行する方法であって、
前記アプリケーションを起動することで、対応するウィンドウを表示する表示ステップと、
表示した前記ウィンドウをアクティブ・ウィンドウとして記憶する記憶ステップと、
ユーザからのタッチ操作入力を受付ける入力ステップと、
当該タッチ操作入力に応じて、記憶した前記アクティブ・ウィンドウの表示を変更する変更ステップと、
を備える選択ウィンドウ通知方法。
【請求項２】
アプリケーションを起動することで、対応したウィンドウを表示する情報処理装置が実行する方法であって、
２以上の前記アプリケーションを起動することで、２以上のウィンドウを表示する表示ステップと、
表示した前記２以上のウィンドウのうち一のウィンドウをアクティブ・ウィンドウとして記憶する記憶ステップと、
ユーザからのタッチ操作入力を受付ける入力ステップと、
当該タッチ操作入力に応じて、記憶した前記アクティブ・ウィンドウの表示を変更する変更ステップと、
を備える選択ウィンドウ通知方法。
【請求項３】
前記入力ステップでは、スクロール領域に対する接触を、タッチ操作入力として受付け、
前記変更ステップでは、前記アクティブ・ウィンドウのスクロール領域の表示を変更する、請求項１又は２に記載の選択ウィンドウ通知方法。
【請求項４】
前記入力ステップでは、テキスト入力領域に対する接触を、タッチ操作入力として受付け、
前記変更ステップでは、前記アクティブ・ウィンドウのテキストウィンドウの表示を変更する、請求項１又は２に記載の選択ウィンドウ通知方法。
【請求項５】
アプリケーションを起動することで、対応したウィンドウを表示する情報処理装置であって、
２以上の前記アプリケーションを起動することで、２以上のウィンドウを表示する表示手段と、
表示した前記２以上のウィンドウのうち一のウィンドウをアクティブ・ウィンドウとして記憶する記憶手段と、
ユーザからのタッチ操作入力を受付ける入力手段と、
当該タッチ操作入力に応じて、記憶した前記アクティブ・ウィンドウの表示を変更する変更手段と、
を備える情報処理装置。
【請求項６】
アプリケーションを起動することで、対応したウィンドウを表示する情報処理装置に、
２以上の前記アプリケーションを起動することで、２以上のウィンドウを表示する表示ステップと、
表示した前記２以上のウィンドウのうち一のウィンドウをアクティブ・ウィンドウとして記憶する記憶ステップと、
ユーザからのタッチ操作入力を受付ける入力ステップと、
当該タッチ操作入力に応じて、記憶した前記アクティブ・ウィンドウの表示を変更する変更ステップと、
を実行させるためのプログラム。
【発明の詳細な説明】
【技術分野】
【０００１】
本発明は、コンピュータにて、アプリケーションを起動することで、ウィンドウを開いている場合に、ユーザが選択した選択ウィンドウを通知する選択ウィンドウ通知方法、情報処理装置、プログラムに関する。
【背景技術】
【０００２】
従来、コンピュータを操作するユーザが、複数のアプリケーションやＷｅｂ（Ｗｏｒｌｄ  Ｗｉｄｅ  Ｗｅｂ）ブラウザ等を起動することで複数のウィンドウを画面上に開き、表示することがある。特に、液晶モニタの表示領域が大きくなると、複数のウィンドウを同時に視認して、処理することが頻繁になってきている。
【０００３】
この場合に生じる問題として、複数のウィンドウの、どのウィンドウが、現在アクティブ（選択されている）ウィンドウであるかを、ユーザが分からなくなるため、キーボード等のキーを入力した際に、ユーザが意図しないウィンドウに対して、入力が行われてしまうことがある。
【０００４】
このような問題に対して、一例としては、コンピュータの画面を視認するユーザの頭部の動きにより、開かれている複数のウィンドウを切替える方法が開示されている（例えば、特許文献１参照）。
【０００５】
確かに、特許文献１に記載の発明であれば、ユーザの視線等により、ウィンドウが切替わるため、アクティブ・ウィンドウがどれかをユーザが意識する必要なく、アクティブ・ウィンドウが即座に選択されるため、上記のような問題は軽減される。
【先行技術文献】
【特許文献】
【０００６】
【特許文献１】特開２００５−３５２５８０号公報
【発明の概要】
【発明が解決しようとする課題】
【０００７】
しかしながら、特許文献１に記載の発明では、操作するユーザの頭部の動きを検知するためのカメラや、光源等の一通りのシステムが必要となり、同一の効果を奏することができるのならば、既存の入力デバイスを利用する方が望ましい。
【０００８】
また、近年、ノートパソコンに内蔵したタッチパッド機能や、タッチパネル機能を備えた小型画面（デュアルスクリーン式のコンピュータで、通常のモニタ画面とは別途設けられ、ショートカット・アイコン等を表示してユーザからの入力を受付ける小型画面）を備えたノートパソコンが普及してきており、これらの入力装置を利用して、上記の問題を解決できるのではないかという点に、本発明者は着目した。
【０００９】
本発明は、特別なシステムを必要とせず、ユーザが選択している選択ウィンドウ（アクティブ・ウィンドウ）を通知する選択ウィンドウ通知方法、情報処理装置、プログラムを提供することを目的とする。
【課題を解決するための手段】
【００１０】
（１）  アプリケーションを起動することで、対応したウィンドウを表示する情報処理装置が実行する方法であって、
前記アプリケーションを起動することで、対応するウィンドウを表示する表示ステップと、
表示した前記ウィンドウをアクティブ・ウィンドウとして記憶する記憶ステップと、
ユーザからのタッチ操作入力を受付ける入力ステップと、
当該タッチ操作入力に応じて、記憶した前記アクティブ・ウィンドウの表示を変更する変更ステップと、
を備える選択ウィンドウ通知方法。
【００１１】
（１）の発明によれば、情報処理装置が、アプリケーションを起動することで、対応するウィンドウを表示し、表示したウィンドウをアクティブ・ウィンドウとして記憶する。そして、ユーザからのタッチ操作入力を受付けて、当該タッチ操作入力に応じて、記憶したアクティブ・ウィンドウの表示を変更する。したがって、ユーザからのタッチ操作入力のみで、ユーザが選択している選択ウィンドウ（アクティブ・ウィンドウ）の表示が変更され、どれが現在の選択ウィンドウであるかをユーザに通知することが可能である。
【００１２】
（２）  アプリケーションを起動することで、対応したウィンドウを表示する情報処理装置が実行する方法であって、
２以上の前記アプリケーションを起動することで、２以上のウィンドウを表示する表示ステップと、
表示した前記２以上のウィンドウのうち一のウィンドウをアクティブ・ウィンドウとして記憶する記憶ステップと、
ユーザからのタッチ操作入力を受付ける入力ステップと、
当該タッチ操作入力に応じて、記憶した前記アクティブ・ウィンドウの表示を変更する変更ステップと、
を備える選択ウィンドウ通知方法。
【００１３】
（２）の発明によれば、情報処理装置が、２以上のアプリケーションを起動することで、２以上のウィンドウを表示し、表示した２以上のウィンドウのうち一のウィンドウをアクティブ・ウィンドウとして記憶する。そして、ユーザからのタッチ操作入力を受付けて、当該タッチ操作入力に応じて、記憶したアクティブ・ウィンドウの表示を変更する。したがって、ユーザからのタッチ操作入力のみで、ユーザが選択している選択ウィンドウ（アクティブ・ウィンドウ）の表示が変更され、どれが現在の選択ウィンドウであるかをユーザに通知することが可能である。
【００１４】
（３）  前記入力ステップでは、スクロール領域に対する接触を、タッチ操作入力として受付け、
前記変更ステップでは、前記アクティブ・ウィンドウのスクロール領域（例えば、後述する、スクロールバー２１０，２１５）の表示を変更する、（１）又は（２）に記載の選択ウィンドウ通知方法。
【００１５】
（３）の発明によれば、スクロール領域に対する接触に応じて、アクティブ・ウィンドウのスクロール領域の表示を変更する。したがって、ユーザがウィンドウをスクロールさせる際に、スクロール領域の接触に対して、どのウィンドウがスクロールするかを、ユーザに通知することが可能である。
【００１６】
（４）  前記入力ステップでは、テキスト入力領域に対する接触を、タッチ操作入力として受付け、
前記変更ステップでは、前記アクティブ・ウィンドウのテキストウィンドウ（例えば、後述する、テキストウィンドウ５３０）の表示を変更する、（１）又は（２）に記載の選択ウィンドウ通知方法。
【００１７】
（４）の発明によれば、テキスト入力領域に対する接触に応じて、アクティブ・ウィンドウのテキストウィンドウの表示を変更する。したがって、ユーザがウィンドウをスクロールさせる際に、テキスト入力領域の接触に対して、どのウィンドウがスクロールするかを、ユーザに通知することが可能である。
【００１８】
（５）  アプリケーションを起動することで、対応したウィンドウを表示する情報処理装置であって、
２以上の前記アプリケーションを起動することで、２以上のウィンドウを表示する表示手段と、
表示した前記２以上のウィンドウのうち一のウィンドウをアクティブ・ウィンドウとして記憶する記憶手段と、
ユーザからのタッチ操作入力を受付ける入力手段と、
当該タッチ操作入力に応じて、記憶した前記アクティブ・ウィンドウの表示を変更する変更手段と、
を備える情報処理装置。
【００１９】
（５）の発明によれば、情報処理装置（例えば、後述する、情報処理装置１０）が、２以上のアプリケーションを起動することで、２以上のウィンドウを表示し、表示した２以上のウィンドウのうち一のウィンドウをアクティブ・ウィンドウとして記憶する。そして、ユーザからのタッチ操作入力を受付けて、当該タッチ操作入力に応じて、記憶したアクティブ・ウィンドウの表示を変更する。したがって、ユーザからのタッチ操作入力のみで、ユーザが選択している選択ウィンドウ（アクティブ・ウィンドウ）の表示が変更され、どれが現在の選択ウィンドウであるかをユーザに通知することが可能である。
【００２０】
（６）  アプリケーションを起動することで、対応したウィンドウを表示する情報処理装置に、
２以上の前記アプリケーションを起動することで、２以上のウィンドウを表示する表示ステップと、
表示した前記２以上のウィンドウのうち一のウィンドウをアクティブ・ウィンドウとして記憶する記憶ステップと、
ユーザからのタッチ操作入力を受付ける入力ステップと、
当該タッチ操作入力に応じて、記憶した前記アクティブ・ウィンドウの表示を変更する変更ステップと、
を実行させるためのプログラム。
【００２１】
（６）の発明によれば、情報処理装置（例えば、後述する、情報処理装置１０）が、２以上のアプリケーションを起動することで、２以上のウィンドウを表示し、表示した２以上のウィンドウのうち一のウィンドウをアクティブ・ウィンドウとして記憶する。そして、ユーザからのタッチ操作入力を受付けて、当該タッチ操作入力に応じて、記憶したアクティブ・ウィンドウの表示を変更する。したがって、ユーザからのタッチ操作入力のみで、ユーザが選択している選択ウィンドウ（アクティブ・ウィンドウ）の表示が変更され、どれが現在の選択ウィンドウであるかをユーザに通知することが可能である。このようなプログラムを提供することを可能とする。
【発明の効果】
【００２２】
本発明によれば、特別なシステムを必要とせず、ユーザが選択している選択ウィンドウ（アクティブ・ウィンドウ）を通知する選択ウィンドウ通知方法、情報処理装置、プログラムを提供することが可能となる。
【図面の簡単な説明】
【００２３】
【図１】情報処理装置１０に複数のウィンドウを表示した表示例を示す図である。
【図２】第１実施形態に係るタッチパッド式入力装置１２０及びスクロール領域１３１，１３２，１４１，１４２を示す図である。
【図３】第１実施形態に係るタッチパッド式入力装置１２０の機能構成を示す図である。
【図４】アクティブ・ウィンドウ設定フローを示すフロー図である。
【図５】第１実施形態に係るタッチパッド式入力フローを示すフロー図である。
【図６】第２実施形態に係るデュアルスクリーン式入力装置４００に表示された画像の画面例である。
【図７】第２実施形態に係るデュアルスクリーン式入力フローを示すフロー図である。
【図８】第２実施形態に係るテキストウィンドウ５３０の表示が変更される画面例を示す図である。
【図９】情報処理装置１０のハードウェア構成図である。
【発明を実施するための形態】
【００２４】
以下、図を参照して本発明の実施形態について説明する。
【００２５】
図１は、本実施形態の概要を説明する図であり、情報処理装置１０に複数のアプリケーションを起動し、複数のウィンドウ２００，３００を表示したことを示す画面表示例１である。
【００２６】
情報処理装置１０は、コンピュータ、パソコン、ノート型パソコン、携帯型情報端末、電子辞書、携帯電話等の情報端末機器であってよい。
【００２７】
ウィンドウ２００，３００は、情報処理装置１０にて、アプリケーションを起動すると、そのアプリケーションに関する情報を表示するための表示窓である。ウィンドウ２００，３００は、少なくとも、スクロールバー２１０，２１５，３１０，３１５と、メインバー２１１，３１１、図８にて説明するテキストウィンドウ５３０を備える。
【００２８】
アプリケーションとは、情報処理装置１０にインストールされたソフトウェアであってよいし、例えば、文章作成ソフト、表計算ソフト、Ｗｅｂブラウザであってよい。ここで、２以上のアプリケーションを起動するとは、異なる種類のアプリケーションを複数、起動することに限られず、一種類のアプリケーションを複数、起動することを含む。例えば、一種類のＷｅｂブラウザを２つ以上起動した場合である。
【００２９】
アクティブ・ウィンドウとは、現在、ユーザから選択されている選択ウィンドウであって、ユーザから情報処理装置１０に対する入力操作（キーボード入力、マウス入力）があった場合に、この入力操作を反映させるウィンドウである。
【００３０】
ウィンドウ及び、アクティブ・ウィンドウは、情報処理装置１０にインストールされているＯＳ（Ｏｐｅｒａｔｉｎｇ  Ｓｙｓｔｅｍ）により制御されてよく、本実施形態が実行する各フロー処理は、ＯＳに組み込まれて実施されてよい。
【００３１】
［第１実施形態：タッチパッド式］
以下、第１実施形態では、情報処理装置１０がタッチパッド式入力装置１２０（図２参照）を備え、ユーザからタッチパッド式入力装置１２０に対するタッチ操作入力に応じて、アクティブ・ウィンドウの表示を変更する態様について、説明する。
【００３２】
［タッチパッド式入力装置］
図２、図３を参照して、タッチパッド式入力装置１２０について、説明する。タッチパッド式入力装置１２０とは、数センチ四方のパッドと呼ばれる平面をユーザがなぞることで、情報処理装置１０に表示されているカーソルを、ユーザがなぞった方向及び大きさに移動表示するポインティング・デバイスである。
【００３３】
さらに、タッチパッド式入力装置１２０は、パッドの左端及び下端に、４つのスクロール領域１３１，１３２，１４１，１４２を備える。すなわち、スクロール領域１３１，１３２，１４１，１４２に対するユーザの指等による接触（タッチ操作入力）により、アクティブ・ウィンドウのスクロールバー２１０，２１５を操作する。このように、タッチ操作入力とは、パッドにユーザの指等が接触することで行われる入力のことである。
【００３４】
例えば、ユーザが、左スクロール領域１４１を接触すると、アクティブ・ウィンドウのスクロールバー２１５の、左向き矢印２１６をクリックして、スクロールバーを左に移動する操作を行う。同様に、ユーザが、右スクロール領域１４２を接触すると、アクティブ・ウィンドウのスクロールバー２１５の、右向き矢印２１７をクリックして、スクロールバーを右に移動する操作を行う。
【００３５】
さらに、ユーザが、上スクロール領域１３１を接触すると、アクティブ・ウィンドウのスクロールバー２１０の、上向き矢印２１２をクリックして、スクロールバーを上に移動する操作を行うことが可能となる。同様に、ユーザが、下スクロール領域１３２を接触すると、アクティブ・ウィンドウのスクロールバー２１０の、下向き矢印２１３をクリックして、スクロールバーを下に移動する操作を行うことが可能となる。
【００３６】
図３に示すように、タッチパッド式入力装置１２０は、タッチパッドセンサ部１５０、縦方向走査部１５３、横方向走査部１５５、走査制御部１６０、Ａ／Ｄ変換部１７０、成分抽出部１８０を備え、成分抽出部１８０で抽出した成分を情報処理装置１０の制御部１３００に送信する。
【００３７】
タッチパッドセンサ部１５０は、複数の横配線走査線、縦配線走査線がマトリクス上となって形成されている。ユーザがタッチパッドセンサ部の上部を指でなぞると、マトリックス上の走査線を流れる電流値が変化する。この変化を、走査制御部１６０の制御により、縦方向走査部１５３、横方向走査部１５５が検知してシリアル信号に変換し、Ａ／Ｄ変換部１７０が、このシリアル信号のデジタル変換を行い、成分抽出部１８０がベクトルの成分を抽出する。制御部１３００にベクトルの成分を送信し、制御部１３００が、対応した方向及び大きさに、ポインタの移動表示を行う。
【００３８】
スクロール領域１３１，１３２，１４１，１４２については、この領域に対する、接触に対して、走査制御部１６０の制御により、縦方向走査部１５３、横方向走査部１５５が検知して逐次、シリアル信号に変換し、Ａ／Ｄ変換部１７０が、このシリアル信号のデジタル変換を行う。成分抽出部１８０は、このスクロール領域１３１，１３２，１４１，１４２については、ベクトルの成分を抽出することなく、制御部１３００に、接触した回数分の信号を供給する。制御部１３００が、この信号を受信して、対応した回数分の対応したスクロールバーのスクロール制御を行う。
【００３９】
［アクティブ・ウィンドウ設定フロー］
次に、図４に基づいて、情報処理装置１０が実行するアクティブ・ウィンドウ設定フローについて、説明する。情報処理装置１０の制御部１３００は、ユーザがアプリケーションの起動を指示したことに応じて、対応したウィンドウの表示を指示する。このウィンドウ表示の指示を検知すると（ステップＳ０１）、表示するウィンドウが、情報処理装置１０が表示する１つめのウィンドウであるかを判断する（ステップＳ０２）。ウィンドウ表示の指示を検知しない場合は、ステップＳ０１を繰り返して、ウィンドウ表示の指示があるまで、待ち受け状態になる。
【００４０】
起動されたウィンドウが、情報処理装置１０が起動した１つめのウィンドウである場合は、起動した当該ウィンドウを、アクティブ・ウィンドウに設定して、記憶する（ステップＳ０３）。起動されたウィンドウが、情報処理装置１０が起動した１つめのウィンドウでない場合は、起動した当該ウィンドウを、アクティブ・ウィンドウに設定して、記憶し（ステップＳ０４）、ウィンドウの切替えに応じて、選択されたウィンドウをアクティブ・ウィンドウに設定して、記憶する（ステップＳ０５）。ステップＳ０５は、ユーザが意図的にアクティブ・ウィンドウを切替えた場合に、ユーザの選択に応じて、アクティブ・ウィンドウを設定し、記憶する処理である。
【００４１】
アクティブ・ウィンドウ設定フローが終了すると、図５に示す、タッチパッド式入力フローを実行する。
【００４２】
［タッチパッド式入力フロー］
情報処理装置１０は、タッチパッド式入力装置１２０のスクロール領域１３１，１３２，１４１，１４２に対する、ユーザの接触（タッチ入力）を検知する（ステップＳ１０）。ユーザの接触がなければ、ステップＳ１０を実行し、検知の待ち受け状態となる。ユーザの接触を検知した場合は、アクティブ・ウィンドウの呼出しを実行する（ステップＳ１１）。
【００４３】
制御部１３００は、アクティブ・ウィンドウ設定フローにて、設定、記憶したアクティブ・ウィンドウを呼出す。次に、呼出したアクティブ・ウィンドウのスクロールバーの表示を変更する（ステップＳ１２）。ここで、スクロールバーの表示の変更とは、スクロールバー２１０，２１５を点滅表示することであってよいし、色彩を変更してもよい。図１に示すように、アクティブ・ウィンドウがウィンドウ２００の場合に、メインバー２１１、スクロールバー２１０，２１５の表示が変更されてよい。
【００４４】
なお、他の実施例として、上スクロール領域１３１に対するユーザからの接触があった場合は、スクロールバー２１０の全体の表示を変更してもよいし、対応する上向き矢印２１２のみの表示を変更してもよい。
【００４５】
［第２実施形態：デュアルスクリーン式］
以下、第２実施形態では、情報処理装置１０がデュアルスクリーン式入力装置４００（図６参照）を備え、ユーザからのデュアルスクリーン式入力装置４００に対するタッチ操作入力に応じて、アクティブ・ウィンドウの表示を変更する態様について、説明する。ここで、タッチ操作入力とは、タッチパネル式入力部１４３０にユーザの指等が接触することで行われる入力のことである。
【００４６】
［デュアルスクリーン式入力装置］
図６を参照して、デュアルスクリーン式入力装置４００について、説明する。デュアルスクリーン式入力装置４００は、画像、文字を表示するタッチパネル式表示部１４２０と、ユーザからのタッチ入力を受付けるタッチパネル式入力部１４３０と、これらのデバイスを制御するタッチパネル用制御部１４１０から構成される（図９参照）。図６は、タッチパネル式表示部１４２０に画像が表示されている表示例を示す。
【００４７】
この表示例では、タッチパネル式表示部１４２０に表示される画像は、入力用スクロールバー４１０，４２０と、テキスト入力領域４３０と、ウィンドウ制御アイコン４５０とから、少なくとも構成される。それぞれ、入力用スクロールバー４１０，４２０（横スクロール入力用スクロールバー４１０、縦スクロール入力用スクロールバー４２０）に対するユーザの接触（入力）に応じて、対応したアクティブ・ウィンドウのスクロールバーが表示制御される。
【００４８】
テキスト入力領域４３０に対するユーザの接触（入力）に応じて、対応したアクティブ・ウィンドウのテキストウィンドウが表示制御され、ウィンドウ制御アイコン４５０に対するユーザの接触（入力）に応じて、対応したアクティブ・ウィンドウが表示制御される。テキスト入力領域４３０は、ユーザがこの部分をペン（スタイラス）等でなぞると、なぞった複数の線の軌跡から、文字認識を行う手書き入力機能のための、入力窓であってよい。
【００４９】
［アクティブ・ウィンドウ設定フロー］
第２実施形態においても、第１実施形態と同様に、図４のアクティブ・ウィンドウ設定フローを実行することで、アクティブ・ウィンドウを設定、記憶する。
【００５０】
［デュアルスクリーン式入力フロー］
デュアルスクリーン式入力フローを、図７に基づいて、説明する。情報処理装置１０は、デュアルスクリーン式入力装置４００の入力用スクロールバー４１０に対する、ユーザの接触（タッチ入力）を検知する（ステップＳ２０）。ユーザの接触がなければ、ステップＳ２０を実行し、検知の待ち受け状態となる。ユーザの接触を検知した場合は、アクティブ・ウィンドウの呼出しを実行する（ステップＳ２１）。
【００５１】
制御部１３００は、アクティブ・ウィンドウ設定フローにて、設定、記憶したアクティブ・ウィンドウを呼出す。次に、呼出したアクティブ・ウィンドウの情報処理装置１０の表示装置１３６０に表示されている（デュアルスクリーン式入力装置４００のタッチパネル式表示部１４２０ではない）、スクロールバーの表示を変更する（ステップＳ２２）。
【００５２】
ここで、スクロールバーの表示の変更とは、第１実施形態と同様に、図１のスクロールバー２１０，２１５を点滅表示することであってよいし、色彩を変更してもよい。図１に示すように、アクティブ・ウィンドウがウィンドウ２００の場合に、メインバー２１１、スクロールバー２１０，２１５の表示が変更されてよい。
【００５３】
なお、第１実施形態と同様に、他の実施例として、上スクロール領域１３１に対するユーザからの接触があった場合は、スクロールバー２１０の全体の表示を変更してもよいし、対応する上向き矢印２１２のみの表示を変更してもよい。
【００５４】
デュアルスクリーン式入力装置４００のテキスト入力領域４３０に対して、ユーザが接触した場合は、デュアルスクリーン式入力フローと同様に、テキストウィンドウ５３０の表示が変更される（図８参照）。表示の変更とは、テキストウィンドウ５３０の枠内の色が変更される、点滅表示する態様であってよいし、枠のみが点滅、変更する態様であってもよい。ここで、テキストウィンドウ５３０は、ウィンドウ中にユーザが、文字を入力することができる入力ウィンドウである。例えば、Ｗｅｂブラウザを利用して、検索システムにアクセスした場合に、検索語を入力するための検索窓であってよい。
【００５５】
なお、上記のテキスト入力領域４３０に対する入力は、一のアクティブ・ウィンドウ（テキスト入力領域４３０）に対して、一のテキストウィンドウ５３０が対応しており、一のアクティブ・ウィンドウ内に、複数のテキストウィンドウ５３０が表示されていないため、一のテキストウィンドウ５３０を選択できる。
【００５６】
［情報処理装置１０のハードウェア構成］
図９は、本発明の実施形態に係る情報処理装置１０のハードウェア構成を示す図である。情報処理装置１０は標準的なコンピュータでよく、以下に構成の一例を示す。
【００５７】
情報処理装置１０は、制御部１３００を構成するＣＰＵ（Ｃｅｎｔｒａｌ  Ｐｒｏｃｅｓｓｉｎｇ  Ｕｎｉｔ）１３１０（マルチプロセッサ構成ではＣＰＵ１３２０等複数のＣＰＵが追加されてもよい）、バスライン１２００、通信Ｉ／Ｆ（Ｉ／Ｆ：インターフェイス）１３３０、メインメモリ１３４０、ＢＩＯＳ（Ｂａｓｉｃ  Ｉｎｐｕｔ  Ｏｕｔｐｕｔ  Ｓｙｓｔｅｍ）１３５０、表示装置１３６０、Ｉ／Ｏコントローラ１３７０、キーボード及びマウス等の入力装置１３８０、ハードディスク１３９０を備える。
【００５８】
制御部１３００は、情報処理装置１０を統括的に制御する部分であり、ハードディスク１３９０（後述）に記憶された各種プログラムを適宜読み出して実行することにより、上述したハードウェアと協働し、本発明に係る各種機能を実現している。例えば、制御部１３００は、タッチ操作入力に応じて、記憶したアクティブ・ウィンドウの表示を変更する変更手段を実現する。
【００５９】
通信Ｉ／Ｆ１３３０は、ネットワークを介して情報を送受信する場合のネットワーク・アダプタである。通信Ｉ／Ｆ１３３０は、モデム、ケーブル・モデム及びイーサネット（登録商標）・アダプタを含んでよい。
【００６０】
メインメモリ１３４０は、制御部１３００が読みだしたデータを記憶する装置である。アクティブ・ウィンドウを記憶する記憶手段は、メインメモリ１３４０と制御部１３００との協働により実現される。
【００６１】
ＢＩＯＳ１３５０は、起動時にＣＰＵ１３１０が実行するブートプログラムや、ハードウェアに依存するプログラム等を記録する。
【００６２】
表示装置１３６０は、ブラウン管表示装置（ＣＲＴ）、液晶表示装置（ＬＣＤ）等のディスプレイ装置を含む。表示手段は、表示装置１３６０と制御部１３００との協働により実現される機能である。
【００６３】
Ｉ／Ｏコントローラ１３７０には、ハードディスク１３９０等の記憶装置を接続することができる。
【００６４】
入力装置１３８０は、ユーザによる入力の受け付けを行うキーボード、マウス等である。第１実施形態では、入力装置１３８０に、タッチパッド式入力装置１２０が含まれ、制御部１３００との協働によりタッチ操作入力を受付ける入力手段を構成する。
【００６５】
第２実施形態では、デュアルスクリーン式入力装置４００を備え、デュアルスクリーン式入力装置４００は、タッチパネル式表示部１４２０、タッチパネル式入力部１４３０、タッチパネル式表示部１４２０及びタッチパネル式入力部１４３０を制御するためのタッチパネル用制御部１４１０を含む。デュアルスクリーン式入力装置４００は、小型のコンピュータであってよい。タッチパネルは、超音波方式で操作入力されるものであってよい。タッチパネル式表示部１４２０、タッチパネル式入力部１４３０、タッチパネル用制御部１４１０は、制御部１３００との協働によりタッチ操作入力を受付ける入力手段を構成する。
【００６６】
ハードディスク１３９０は、本ハードウェアを機能させるための各種プログラム、本発明の機能を実行するプログラム及び前述したテーブル及びレコードを記憶する。なお、外部に別途設けたハードディスク（図示せず）を外部記憶装置として利用することもできる。
【００６７】
以上、本発明の実施形態について説明したが、本発明は本実施形態に限定されるものではなく、本発明の目的を達成できる範囲での変形、改良等は本発明に含まれるものである。
【符号の説明】
【００６８】
１０  情報処理装置
１２０  タッチパッド式入力装置
２００，３００  ウィンドウ
２１０，２１５，３１０，３１５  スクロールバー
２１１，３１１  メインバー
４００  デュアルスクリーン式入力装置
５３０  テキストウィンドウ
【図１】
2010282396.tif 000003
【図２】
2010282396.tif 000004
【図３】
2010282396.tif 000005
【図４】
2010282396.tif 000006
【図５】
2010282396.tif 000007
【図６】
2010282396.tif 000008
【図７】
2010282396.tif 000009
【図８】
2010282396.tif 000010
【図９】
2010282396.tif 000011